(57)【要約】【課題】身体の柔軟性が乏しい人であっても、自力で靴下を装着可能とする使い易い靴下装着補助具を提供する。【解決手段】靴下装着補助具１は、一対の持ち手フレーム２０ａ，２０ｂと、一対の持ち手フレーム２０ａ，２０ｂから前方側に延在する靴下保持フレーム３０と、を有するフレーム本体１０を備え、靴下保持フレーム３０が、一対の持ち手フレーム２０ａ，２０ｂから前方側に延在し、起点に凹部３０１ａ，３０１ｂを有する一対の底部フレーム３１ａ，３１ｂと、一対の底部フレーム３１ａ，３１ｂの前方端から後斜め上方に向かって屈曲して凹部に対応する位置まで延在し、中間域に少なくとも１つの凸部３０２ａ，３０２ｂを有する一対の甲部フレーム３２ａ，３２ｂと、一対の甲部フレーム３２ａ，３２ｂ同士の後方端を連結し、上方に向かって湾曲する架橋部３３と、を有する。【選択図】図１
0003201746.tif 000002
【実用新案登録請求の範囲】
【請求項１】
靴下装着補助具であって、
一対の持ち手フレームと、前記一対の持ち手フレームから前方側に延在する靴下保持フレームと、を有するフレーム本体を備え、
前記靴下保持フレームが、
前記一対の持ち手フレームから前方側に延在し、起点に凹部を有する一対の底部フレームと、
前記一対の底部フレームの前方端から後斜め上方に向かって屈曲して前記凹部に対応する位置まで延在し、中間域に少なくとも１つの凸部を有する一対の甲部フレームと、
前記一対の甲部フレーム同士の後方端を連結し、上方に向かって湾曲する架橋部と、を有することを特徴とする靴下装着補助具。
【請求項２】
前記凹部が角Ｕ字状に形成されていることを特徴とする請求項１に記載の靴下装着補助具。
【請求項３】
前記少なくとも１つの凸部が複数の凸部を含み、前方側の第１凸部が倒立したＶ字状に、後方側の第２凸部が倒立した丸Ｕ字状に、それぞれ形成されていることを特徴とする請求項１又は２に記載の靴下装着補助具。
【請求項４】
前記持ち手フレームが、その後方端において、指掛け用のリング部を有していることを特徴とする請求項１から３のいずれか１項に記載の靴下装着補助具。
【請求項５】
前記フレーム本体が１本の棒状部材から形成されることを特徴とする請求項１から４のいずれか１項に記載の靴下装着補助具。
【考案の詳細な説明】
【技術分野】
【０００１】
本考案は、靴下装着補助具に関する。
【背景技術】
【０００２】
高齢であったり、あるいは事故などによって身体に障害が生じたりなどして、身体の柔軟性が乏しくなった人にとって、自力で靴下を履いたり脱いだりすることは、大変な労力と苦痛を有するものである。また、健常者であっても、自分では気付かないうちに加齢によって身体の柔軟性が衰え、例えば立った状態では靴下の装着ができなかったり、無理に行おうとすると、足を靴下に引っ掛けて転倒してしまったりするようなことが生じる。このようなとき、一般的には、座った状態で靴下を装着するが、それでも、手が足指先まで届かず、きちんと靴下を履けないことがある。
【０００３】
このような状態を補助するため、従来、靴下装着補助具が知られている（例えば、特許文献１参照）。特許文献１は、一対の棒状部材と、この一対の棒状部材の第１端部（手元側）に連結した連結棒と、この一対の棒状部材の第２端部（足指側）に結合したＵ字部とで構成した主フレームと、この主フレームに回動可能に支持した靴下の上面および両側面を保持する波形フレームで構成した（靴下の）保持フレームと、主フレームのＵ字部に設けた靴下のかかと部を保持する係止部を備える靴下装着補助具を開示している。
【０００４】
しかし、従来の上記靴下装着補助具は、人の足に沿って位置する主フレームに対し、靴下を保持する保持フレームが回動可能に支持されているため、足を靴下に入れる際に保持フレームが回転して足を入れ難かったり、靴下が回動中心部に引っ掛かってタイミングよく補助具から外れなかったりするおそれがあるという課題があった。
【先行技術文献】
【特許文献】
【０００５】
【特許文献１】特開２０１１−１２０６７５号公報
【考案の概要】
【考案が解決しようとする課題】
【０００６】
本考案は、このような事情に鑑み、身体の柔軟性が乏しい人であっても、自力で靴下を装着可能であって、簡単な構造で使い易い靴下装着補助具を提供することを目的とする。
【課題を解決するための手段】
【０００７】
本考案は、以下の構成によって把握される。
（１）本考案に係る第１の観点は、靴下装着補助具であって、一対の持ち手フレームと、前記一対の持ち手フレームから前方側に延在する靴下保持フレームと、を有するフレーム本体を備え、前記靴下保持フレームが、前記一対の持ち手フレームから前方側に延在し、起点に凹部を有する一対の底部フレームと、前記一対の底部フレームの前方端から後斜め上方に向かって屈曲して前記凹部に対応する位置まで延在し、中間域に少なくとも１つの凸部を有する一対の甲部フレームと、前記一対の甲部フレーム同士の後方端を連結し、上方に向かって湾曲する架橋部と、を有することを特徴とする。
【０００８】
（２）上記（１）において、前記凹部は、角Ｕ字状に形成されていてもよい。
【０００９】
（３）上記（１）又は（２）において、前記少なくとも１つの凸部が複数の凸部を含み、前方側の第１凸部は倒立したＶ字状に、後方側の第２凸部は倒立した丸Ｕ字状に、それぞれ形成されていてもよい。
【００１０】
（４）上記（１）から（３）のいずれか１つにおいて、前記持ち手フレームは、その後方端において、指掛け用のリング部を有していてもよい。
【００１１】
（５）上記（１）から（４）のいずれか１つにおいて、前記フレーム本体は、１本の棒状部材から形成されてもよい。
【考案の効果】
【００１２】
本考案によれば、身体の柔軟性が乏しい人であっても、自力で靴下を装着可能であって、簡単な構造で使い易い靴下装着補助具を提供することができる。
【図面の簡単な説明】
【００１３】
【図１】本考案の実施形態に係る靴下装着補助具の全体構成を示す斜視図である。
【図２】本考案の実施形態に係る靴下装着補助具の使用手順（靴下を靴下保持フレームに保持した状態）を示す図である。
【図３】本考案の実施形態に係る靴下装着補助具の使用手順（足の指先を靴下に入れた状態）を示す図である。
【図４】本考案の実施形態に係る靴下装着補助具の使用手順（足を足首まで靴下に入れた状態）を示す図である。
【図５】本考案の実施形態に係る靴下装着補助具の使用手順（足に靴下が完全に装着された状態）を示す図である。
【図６】本考案の実施形態の変形例に係る靴下装着補助具の全体構成を示す斜視図である。
【考案を実施するための形態】
【００１４】
以下、本考案を実施するための形態（以下、「実施形態」という）を、添付図面に基づいて詳細に説明する。なお、実施形態の説明の全体を通して同じ要素には同じ番号を付している。
【００１５】
＜実施形態＞
図１は、本考案の実施形態に係る靴下装着補助具１の全体構成を示す斜視図である。以下、図１を参照して、靴下装着補助具１の全体構成を説明する。
【００１６】
靴下装着補助具１は、ここでは１本の棒状部材から形成されたフレーム本体１０から構成されており、フレーム本体１０は、大別して、後方側（手元側）の持ち手フレーム２０と、持ち手フレーム２０から前方側（足指側）に延在する靴下保持フレーム３０とを有している。
【００１７】
持ち手フレーム２０は、一対の持ち手フレーム２０ａ，２０ｂから構成されており、手元側の後方端にはそれぞれ指掛け用のリング部２１ａ，２１ｂが設けられている。利用者は、指掛け用のリング部２１ａ，２１ｂに指を掛けて靴下装着補助具１を手元側に引き寄せる。本実施形態では、一対の持ち手フレーム２０ａ，２０ｂの後方端を連結していないため、一対の持ち手フレーム２０ａ，２０ｂは横方向にフレキシブルに広がることができ、靴下の生地の伸縮性や、利用者の体型、靴下を装着する際の姿勢などに順応し易い構成となっている。例えば、持ち手フレーム２０ａ，２０ｂを横方向に大きく広げると、それにつれて靴下も横方向に大きく広がり、足を挿入し易くなる。因みに、特許文献１の補助具では、一対の持ち手（一対の棒状部材の第１端部）が連結棒で連結されており、このような順応性に乏しい。
【００１８】
靴下保持フレーム３０は、底部フレーム３１と、甲部フレーム３２と、架橋部３３とから構成されている。底部フレーム３１と、甲部フレーム３２は、それぞれ一対の構成となっている。すなわち、靴下保持フレーム３０は、一対の持ち手フレーム２０ａ，２０ｂから前方側に延在する一対の底部フレーム３１ａ，３１ｂと、一対の底部フレーム３１ａ，３１ｂの前方端から後斜め上方に向かって屈曲して延在する一対の甲部フレーム３２ａ，３２ｂと、一対の甲部フレーム３２ａ，３２ｂの後方端同士を連結する架橋部３３とを有している。
【００１９】
一対の底部フレーム３１ａ，３１ｂの起点には、一対の持ち手フレーム２０ａ，２０ｂとつながる角Ｕ字状の一対の凹部３０１ａ，３０１ｂが設けられている。一対の凹部３０１ａ，３０１ｂは、靴下の開口部のかかと側を引っ掛けるためのものである。この凹部を角Ｕ字状とすることにより、靴下が外れ難くすることが可能となる。
【００２０】
一対の底部フレーム３１ａ，３１ｂは、その前方端で角丸のくさび状に屈曲し、後斜め上方に向かって延在する一対の甲部フレーム３２ａ，３２ｂへとつながっている。一対の甲部フレーム３２ａ，３２ｂは、一対の底部フレーム３１ａ，３１ｂの起点となる凹部３０１ａ，３０１ｂに対応する位置まで延在している。一対の底部フレーム３１ａ，３１ｂが一対の甲部フレーム３２ａ，３２ｂへと屈曲する角度は、利用者の足の甲の厚みや、靴下の生地や伸縮性などに合わせて任意に設定してよいが、概ね５度から１５度の範囲で設定することができる。
【００２１】
一対の甲部フレーム３２ａ，３２ｂは、その中間域にそれぞれ少なくとも１つの凸部を有するように構成されている。図１では、各甲部フレームに複数（２つ）の凸部を設けた例を示しており、前方側の凸部を一対の第１凸部３０２ａ，３０２ｂと、後方側の凸部を一対の第２凸部３０３ａ，３０３ｂと呼称する。一対の第１凸部３０２ａ，３０２ｂは倒立したＶ字状に、一対の第２凸部３０３ａ，３０３ｂは倒立した丸Ｕ字状に、それぞれ形成されている。これらの凸部は、靴下を縦方向に広げるためのものであり、利用者の足の甲が靴下の内部に円滑に滑り込むようにする。
【００２２】
凸部の数量や形状はそれぞれ設定してよいが、一対の第１凸部３０２ａ，３０２ｂと一対の第２凸部３０３ａ，３０３ｂとは、一対の甲部フレーム３２ａ，３２ｂに対して、概ね同じ高さを有することが好ましい。一対の甲部フレーム３２ａ，３２ｂ自体が後斜め上方に向かって延在しているため、後方側にある一対の第２凸部３０３ａ，３０３ｂが前方側の一対の第１凸部３０２ａ，３０２ｂよりも一対の底部フレーム３１ａ，３１ｂに対して高い位置となり、靴下を装着し易い。
【００２３】
架橋部３３は、一対の甲部フレーム３２ａ，３２ｂを架橋するものであり、上方に向かって湾曲するように構成されている。架橋部３３は、左右の一対の甲部フレーム３２ａ，３２ｂ、ひいては左右の一対の底部フレーム３１ａ，３１ｂ及び左右の一対の持ち手フレーム２０ａ，２０ｂを連結するとともに、靴下の開口部の足甲側を引っ掛ける役割を果す。したがって、靴下の装着時には靴下の開口部を大きくとる必要があること、さらには靴下の装着後には靴下装着補助具１を足首から下腿にかけて引き抜き易くする必要があることから、上方に向かって湾曲させている。
【００２４】
湾曲させた際の架橋部３３の高さは、一対の甲部フレーム３２ａ，３２ｂに対して、一対の第１凸部３０２ａ，３０２ｂ及び一対の第２凸部３０３ａ，３０３ｂよりも高くなるようにしておくことが好ましい。これにより、靴下は、一対の底部フレーム３１ａ，３１ｂの一対の凹部３０１ａ，３０１ｂと、架橋部３３とによって、その開口部を大きく広げられることとなり、足を靴下に挿入し易い。また、架橋部３３と、一対の第２凸部３０３ａ，３０３ｂとの間に、靴下の開口部のゴム部分を挟むようにすると、足甲をよりスムーズに靴下の内部に挿入することができる。
【００２５】
フレーム本体１０は、公知の材料をもって形成することができるが、錆の防止や、細くて軽いが一定の強度を発揮することを考慮すると、棒状のステンレスを好適に採用することができる。棒状のステンレスで形成すると、前述したように、一対の持ち手フレーム２０ａ，２０ｂを横方向に広げることが可能であり、しかも変形し難く、バネ機能によって元の形状に容易に戻る。なお、製造にあたっては、フレーム本体１０に熱処理を施し、全体の変形を防止することが好ましい。
【００２６】
次に、以上で説明した靴下装着補助具１を使用して、靴下を履く手順を図２から図５を参照して説明する。図２は靴下を靴下保持フレーム３０に保持した状態、図３は足の指先を靴下に入れた状態、図４は足を足首まで靴下に入れた状態、図５は足に靴下が完全に装着された状態を、それぞれ示している。
【００２７】
利用者は、まず、図２に示すように、靴下を靴下装着補助具１の靴下保持フレーム３０に被せて保持させる。この際、靴下の開口部のうち、足甲側を架橋部３３に、かかと側を一対の凹部３０１ａ，３０１ｂに引っ掛ける。足甲側においては、架橋部３３と、一対の第２凸部３０３ａ，３０３ｂとの間に、靴下の開口部のゴム部分を挟むようにする。そうすると、図示するように、靴下保持フレーム３０に被せられた靴下は、一対の第１凸部３０２ａ，３０２ｂ及び一対の第２凸部３０３ａ，３０３ｂを有する一対の甲部フレーム３２ａ，３２ｂと、一対の凹部３０１ａ，３０１ｂを有する一対の底部フレーム３１ａ，３１ｂと、架橋部３３によって、その内部が押し広げられた状態となる。
【００２８】
次に、図３に示すように、靴下が被せられた靴下装着補助具１を、持ち手フレーム２０ａ，２０ｂが手前側になるように床に置き、一対の甲部フレーム３２ａ，３２ｂ及び一対の底部フレーム３１ａ，３１ｂに沿って、大きく広げられた靴下の開口部に足指先を挿入する。
【００２９】
そして、図４に示すように、持ち手フレーム２０ａ，２０ｂを持ち、足指先をさらに靴下の中に滑らせていく。図４では、足指先が靴下の先端部に位置した状態を示しており、一対の底部フレーム３１ａ，３１ｂの一対の凹部３０１ａ，３０１ｂが、既に靴下の開口部から露出した段階となっている。
【００３０】
さらに、持ち手フレーム２０ａ，２０ｂを持ったまま、靴下装着補助具１を手前に引き寄せながら、足指先を前方に滑らせると、図５に示すように、靴下は架橋部３３、一対の第２凸部３０３ａ，３０３ｂ、一対の第１凸部３０２ａ，３０２ｂと順に外れていき、最終的に靴下保持フレーム３０から外れて、靴下の装着が完了する。
【００３１】
以上のように、本実施形態では、足指先を靴下の中に滑らせる際、靴下保持フレーム３０に形成された、架橋部３３、一対の第２凸部３０３ａ，３０３ｂ、一対の第１凸部３０２ａ，３０２ｂ、一対の凹部３０１ａ，３０１ｂによって、被せられた靴下が適切な摩擦力で保持されるため、靴下を足にしっかりと履くことができる。そして、靴下を足に履かせる動作をそのまま続行することによって、靴下を履いた足から靴下装着補助具１を無理なく引き抜くことができる。以上の動作を、繰り返すことによって、両足に靴下を履かせることができる。
【００３２】
靴下を脱ぐ際は、靴下装着補助具１の前方端を靴下と足の間に差し込むことにより、一対の第２凸部３０３ａ，３０３ｂ、一対の第１凸部３０２ａ，３０２ｂ、一対の凹部３０１ａ，３０１ｂが靴下の開口部に引っ掛かり、スムーズに靴下を脱がせることができる。
【００３３】
＜変形例＞
上記の実施形態では、一対の甲部フレーム３２ａ，３２ｂに一対の凸部を２つ設けた例を説明したが、凸部は、１つであっても、３つ以上であってもよい。靴下にも様々なものがあるため、デザインや生地の種類、伸縮性などを考慮して、設定すればよい。変形例として、一対の甲部フレーム３２ａ，３２ｂに一対の凸部を１つ設けた例を以下に説明する。
【００３４】
図６は、変形例に係る靴下装着補助具１の全体構成を示す斜視図である。ここで示す変形例では、一対の甲部フレーム３２ａ，３２ｂに、倒立したＶ字状に形成された一対の第１凸部３０２ａ，３０２ｂを設けている。また、一対の底部フレーム３１ａ，３１ｂには、正立したＶ字状に形成された一対の凹部３０１ａ，３０１ｂを設けている。
【００３５】
上記の実施形態では、一対の甲部フレーム３２ａ，３２ｂの前方側に倒立したＶ字状の一対の第１凸部３０２ａ，３０２ｂを、同じく後方側に倒立した丸Ｕ字状の一対の第２凸部３０３ａ，３０３ｂを、一対の底部フレーム３１ａ，３１ｂに角Ｕ字状の一対の凹部３０１ａ，３０１ｂをそれぞれ設けたが、変形例では、凸部の数を減らすとともに、凸部と凹部の形状を倒立／正立の同じ形状としたことから、相対的に安価に製造することが可能となる。また、実施形態と変形例は、靴下の生地の種類やデザイン又は大きさの違いによる伸縮性や滑り性などを考慮して、適合したものを選択すればよい。例えば、比較的長い靴下であれば、装着の過程で装着方向（靴下装着補助具１の長手方向）に働く引張り力が相対的に強くないため、変形例のような凸部と凹部の組合せにより靴下を装着できる。
【００３６】
以上、実施形態を用いて本考案を説明したが、本考案の技術的範囲は上記実施形態に記載の範囲には限定されないことは言うまでもない。上記実施形態に、多様な変更又は改良を加えることが可能であることが当業者に明らかである。またその様な変更又は改良を加えた形態も本考案の技術的範囲に含まれ得ることが、実用新案登録請求の範囲の記載から明らかである。例えば、上記実施形態及び変形例では一本の棒状部材からフレーム本体１０を形成したが、フレームの各部分ごとに部材を形成して接続したものでもよく、また、持ち手フレームの指掛け用のリング部２１ａ，２１ｂに代えて木製や樹脂製の握り部を設けるなどしてもよい。
【符号の説明】
【００３７】
１…靴下装着補助具、１０…フレーム本体、２０…持ち手フレーム、２０ａ，２０ｂ…一対の持ち手フレーム、２１ａ，２１ｂ…リング部、３０…靴下保持フレーム、３１…底部フレーム、３１ａ，３１ｂ…一対の底部フレーム、３０１ａ，３０１ｂ…一対の凹部、３２…甲部フレーム、３２ａ，３２ｂ…一対の甲部フレーム、３０２ａ，３０２ｂ…一対の第１凸部、３０３ａ，３０３ｂ…一対の第２凸部、３３…架橋部、Ｓ…靴下、Ｆ…足
【図１】
0003201746.tif 000003
【図２】
0003201746.tif 000004
【図３】
0003201746.tif 000005
【図４】
0003201746.tif 000006
【図５】
0003201746.tif 000007
【図６】
0003201746.tif 000008